(57)【要約】【課題】費用や時間が節約でき、立地上の制約が少なく、確実に機能でき、操作する者に危険が及ぶことがなく、生活や産業活動、また、景観や生物の生育環境に与える悪影響を抑えた津波防波堤を提供する。【解決手段】水位の上昇が予測される異常時に、可動式の止水板１を連ねて立てることにより堤体２とする形式の津波防波堤の止水板に浮力体３を取り付け、止水板下方４に止水板を軸水平に揺動できる回転支持部５を備え、止水板に取り付ける浮力体を止水板内部に設ける気体容器６や止水板内部に収容する発泡体７としたり、止水板を平置格納する状態において、止水板下面８に水位上昇時の水流導入口９を備え、あるいは、止水板を起立する状態において、止水板の安定をはかる止水板起立姿勢保持装置１０を備える。【選択図】図１
2006241806.tif 000002
【特許請求の範囲】
【請求項１】
水位の上昇が予測される異常時に、可動式の止水板を連ねて立てることにより堤体とする形式の津波防波堤において、海水中に置かれることで浮力を得られる浮力体を止水板に取り付け、止水板下方に止水板を軸水平に揺動できる回転支持部を備えることを特徴とし、陸上部に設置する津波防波堤。
【請求項２】
浮力体が止水板内部に設ける気体容器である特許請求の範囲請求項１記載の津波防波堤。
【請求項３】
浮力体が止水板内部に収容する発泡体である特許請求の範囲請求項１記載の津波防波堤。
【請求項４】
止水板を平置格納する状態において、止水板下面に水位上昇時の水流導入口を備える特許請求の範囲請求項１ないし３記載の津波防波堤。
【請求項５】
止水板を起立する状態において、止水板の安定をはかる止水板起立姿勢保持装置を備える特許請求の範囲請求項１ないし４記載の津波防波堤。
【請求項６】
止水板起立姿勢保持装置が、止水板沖側に設ける止水板起立姿勢保持索である特許請求の範囲請求項１ないし５記載の津波防波堤。
【発明の詳細な説明】
【技術分野】
【０００１】
本発明は津波防波堤に関するものである。一般に、津波による異常な高潮位に対するものには津波防波堤、高潮などの異常な高潮位に対するものには防潮堤の言葉が使用される。津波の発生源や規模にもよるが、防災上は、津波の際の高潮位が高潮の際の高潮位を上回ると考えることが必要なので、津波防波堤は高潮防潮堤も兼ねることになる。
【背景技術】
【０００２】
津波の多くは地震による海底のズレや火山活動により発生すると考えられており、地震や火山活動の活発な沿岸地域では、しばしば津波による甚大な被害を蒙ってきた歴史がある。日本列島は地震活動の活発な地域にあると考えられることから、早急に津波被害を防ぐための有効な対策を講じることが求められている。
【０００３】
今日の海岸には、高波や高潮による被害を防止するための堤防が築かれている場合が多い。この種の堤防は、本来津波災害の防止を目的とするものではないが、通常の高波や高潮に対して有効であり、小規模津波に対してもある程度の効果が認められる。しかし、津波は波長が極めて長いので、来襲時に水位の高い時間が長く継続し浸水被害を受けやすい点、波が陸岸に近づくとあたかも流れのように振舞うことにより破壊力が大きい点、一回の津波で数回以上の波に繰り返し襲われるという点、また、大規模な津波は波高が極めて大きいという点などから、高波や高潮による被害を防止するための堤防で津波災害を防止するには限界があり、従来の堤防では規模の大きな津波時に浸水被害を防止することができなかった。
【０００４】
このため、津波被害を防ぐための対策として、海岸近くの陸上部や、沿岸の海中に建設される津波防波堤があるが、従来の津波防波堤は、防波堤を大きく、重く、堅固にすることで津波の衝撃に耐えるという考えで設計されることから、主としてコンクリートや、岩石、土砂、金属などの重くて硬い材料をきわめて多量に用いて建設しなければならず、津波防波堤の建設に多額の費用と長い期間を必要とし、また、建設中や建設後において、生活や産業活動、景観や生物の生育環境に与える影響の大きいものでもあった。
【０００５】
また、従来の津波防波堤のうちで海岸近くの陸上部に建設される津波防波堤は、建設に当たって用地の取得や、建設場所の選定に困難な問題が多くあり、例えば、埠頭、水産施設、造船工場、水産物市場や海水浴場、マリーナなどの海に向かって開放された地点や河口など津波防波堤の建設が困難な場所が多く存在していた。このことは、ある地域を津波防波堤で取り囲んで、津波来襲による災害から守ろうとする際の構造的な弱点となるものであった。
【０００６】
他方、津波防波堤とは異なるが、近年、堤体における越流防止構造として、既存堤防の上端に溝または穴を設け、その中にホース部材を収納して蓋で覆い、使用時にはホース内に河川水を導入することによって、膨らんだホースを溝または穴外に突出させ、河川堤防の高さを増加させるものが提案されている。また、河川などの防潮ゲートとして、鋼製の扉体を空気袋で起立させるものも提案されているが、これらはいずれも、河川堤防上や河床用なので、沿岸を守る津波防波堤として採用できるものではない。
【０００７】
津波災害を完璧に防止するためには、津波防波堤が人的活動の行われるすべての沿岸に建設されるべきであるが、費用や時間、立地的な制約から津波防波堤によって災害から守られる地域は限定されるのが現実である。自然現象である津波の来襲を早い時期から正確に予測することは、現在の人知では極めてむずかしいため、常に津波災害に対する備えを怠ることはできないが、限られた費用や津波の来襲を正確に予測できないという状況の中で、沿岸のできる限り多くの地域に津波防波堤を建設することで津波からより多くの生命と財産を守ろうとする際、建設費用や時間が節約でき、立地上の制約の少ない津波防波堤とその建設方法が求められている。また、建設にあたって、生活や産業活動、景観や生物の生育環境に与える影響の少ないものが望まれている。
【０００８】
【特許文献１】平成８年特許願第３４１４５３号
【特許文献２】特願２００１−１１６４９４
【非特許文献１】大矢雅彦ほか著「自然災害を知る・防ぐ」古今書院  １９９６
【発明の開示】
【発明が解決しようとする課題】
【０００９】
解決しようとする課題は、建設のための費用や時間が節約でき、立地上の制約の少ない津波防波堤を提供することであり、津波に先立つ地震によって動力の供給が断たれても確実に展開でき、操作する者に危険が及ぶことのない災害防止効果の優れた津波防波堤の提供を課題とするものである。さらに、建設にあたって、生活や産業活動、また、景観や生物の生育環境に与える悪影響を抑えることのできる津波防波堤を提供することである。
【課題を解決するための手段】
【００１０】
本発明は、水位の上昇が予測される異常時に、可動式の止水板１を連ねて立てることにより堤体２とする形式の津波防波堤であり、海水中に置かれることで浮力を得られる浮力体３を止水板に取り付け、止水板下方４に止水板を軸水平に揺動できる回転支持部５を備え、平時に平置格納できる津波防波堤とする。
【００１１】
また、止水板に取り付ける浮力体を止水板内部に設ける気体容器６や止水板内部に収容する発泡体７としたり、止水板を平置格納する状態において、止水板下面８に水位上昇時の水流導入口９を備え、あるいは、止水板を起立する状態において、止水板の安定をはかる止水板起立姿勢保持装置１０を備える津波防波堤とする。
【発明の効果】
【００１２】
本発明の津波防波堤は、防波堤沖側水位の上昇によって浮力体を取り付けた止水板が起立し、人の操作を必要としないで堤体が自律的に展開するもので、平時には平置格納できる津波防波堤である。堤体を構成する止水板が海水中に置かれる際に浮力を発生させるために軽量に作られ、軽量な止水板は工場で能率的に生産できるので、建設地点での作業が少なくてすみ、津波防波堤建設の費用と時間を大幅に節約することが可能となる。
【００１３】
また本発明の津波防波堤は、平時における堤体の占有面積が極めて少なく、堤体の質量も小さいことから、既存の堤防や道路などと併設することが可能である。同様の理由により従来津波防波堤の建設が困難とされてきた、例えば、埠頭、水産施設、造船工場、水産物市場や海水浴場などの海に向かって開放された地点や河口附近などにも容易に建設できるという利点がある。
【００１４】
本発明の津波防波堤は、平時には堤体の殆どを地面下に平置格納できることから、生活や産業活動、景観や生物の生育環境に与える悪影響を抑えることができる。また、水位の上昇によって止水板が起立する異常時以外は、堤体が地上の障害物とならないので、市街を取り囲む形に津波防波堤を建設する際に直面しがちな用地の取得や立地上の困難な問題を緩和でき、経済性にも優れた津波防波堤となったものである。
【発明を実施するための最良の形態】
【００１５】
本発明を実施するための最良の形態を図に基づいて説明する。図１は、水位の上昇が予測される異常時に、可動式の止水板１を連ねて立てることにより堤体２とする形式の津波防波堤で、津波の高水位によって発生する浮力により止水板を起立した状態の本発明津波防波堤の中央部横断面図である。止水板に海水中に置かれることで浮力を得られる浮力体３を取り付けるが、１図では、止水板内部を気体容器６とし、これを浮力体として止水板に浮力を与えている。通常の場合、気体容器に充填する気体は大気圧の空気でよいが、気体容器に不活性ガスを充填することで、気体容器の内部に発生する錆による止水板の損傷を回避できる。止水板下方４には、止水板を軸水平で、通常は止水板が海岸に正対して揺動できる回転支持部５を設け、さらに止水板を支持する地点の基礎１１上に回転支持部５と相対する回転支持部１２を設け、止水板を揺動自在に結合する。また、止水板が沖側に向かって水平位置まで倒伏できるように、止水板を支持する地点の基礎を切り欠き１３、止水板を倒伏した際に止水板の波受け面１４と基礎１９との間に海水が流入できる間隙１５を設ける。
【００１６】
止水板は津波や高潮の高水位が現れるまで良好な状態に維持することが必要であるが、長期間の使用にあたり止水板内部に設ける気体容器が錆などによって損傷を受けることも考えられる。止水板に取り付ける浮力体を止水板内部に設ける気体容器６に替えて、止水板内部に収容する発泡体７とすることで、浮力体の機能が損なわれるのを防ぐことができる。
【００１７】
図１においては、異常時の高水位１６によって起立する止水板の安定をはかるための止水板起立姿勢保持装置１０を備えるが、これを止水板沖側に設ける止水板起立姿勢保持索とし、止水板起立姿勢保持索には緩衝器２１を備えている。通常の津波防波堤では止水板を複数個連ねることになるので、展開後の各止水板の下部や側部に生じる間隙には適当な形状、材質のパッキング材を取り付けて置き、間隙から止水板背後に流れ込む水流を遮断するとよい。
【００１８】
図２は、津波の高水位が現れはじめた時点での本発明の津波防波堤中央部横断面図である。津波によってもたらされる高水位が、図３で示す止水板を平置格納する状態での止水板下面８に設ける水流導入口９から止水板下方に設けた間隙１５に達すると、止水板内部を気体容器６としていることから、止水板に浮力が働き、止水板が少し浮上する。さらに、津波により止水板沖側の水位が上昇すると、津波の水流による圧力も加わって、止水板はさらに起き上がり、図１の状態となる。
【００１９】
図３は、平時における本発明の津波防波堤中央部横断面図である。図では、止水板を平置格納する状態において、止水板下面８に水位上昇時の水流導入口９を備えているが、止水板下面８に設ける水位上昇時の水流導入口９の替わりに、平時に止水板を支持する地点の基礎に海側に向かって開く水流導入口を設ける方法によっても、水位上昇の際の水流を止水板下に導入できるので、同様に止水板を迅速に起立させる効果がある。平常時の水位１７は、平置格納する状態における止水板下面８以下とする。
【００２０】
本発明の津波防波堤では、津波によってもたらされる高水位と水圧によって迅速に止水板を起立させ津波防波堤の堤体を展開するので、外部からの動力や人が介在しなければならない操作が全く不要である。このことによって、津波に先立って発生する地震の衝撃により動力の供給が断たれ津波防波堤の機能が発揮できなくなったり、津波発生から津波到達するまでの時間が限られることから、操作する者の人命に危険が及ぶという問題は根本的に解決できる。
【実施例１】
【００２１】
図４は、本発明津波防波堤の１実施例鳥瞰図である。図の右側および下側から津波による高水位１６に襲われるが、津波によってもたらされる高水位と水圧によって迅速に止水板１を起立させた本発明津波防波堤によって市街２０が浸水から守られている。また、平時は図３のように止水板を平置することで、堤体格納時の止水板上面は、道路や岸壁の一部などとして堤体の周辺部と一体的に利用できる。
【産業上の利用可能性】
【００２２】
本発明の津波防波堤は、津波ばかりでなく高潮や高波に対しても適用できるものである。
【図面の簡単な説明】
【００２３】
【図１】本発明津波防波堤の堤体展開時における中央部横断面図である。
【図２】本発明津波防波堤の堤体展開初期における中央部横断面図である。
【図３】本発明津波防波堤の堤体格納時における中央部横断面図である。
【図４】本発明津波防波堤の１実施例の鳥瞰図である。（実施例１）
【符号の説明】
【００２４】
１  止水板
２  堤体
３  浮力体
４  止水板下方
５  止水板回転支持部
６  気体容器
７  止水板内部に収容する発泡体
８  止水板下面
９  水流導入口
１０  止水板起立姿勢保持装置
１１  止水板を支持する地点の基礎
１２  基礎上の止水板回転支持部
１３  基礎の切り欠き部分
１４  止水板波受け面
１５  止水板の波受け面と基礎との間隙
１６  異常時の高水位
１７  平常時の水位
１８  異常時の高水位海面
１９  防波堤の基礎
２０  市街
２１  緩衝器
【図１】
2006241806.tif 000003
【図２】
2006241806.tif 000004
【図３】
2006241806.tif 000005
【図４】
2006241806.tif 000006